(57)【要約】【課題】刻印したマークが読み取りやすく、走行による劣化を回避する。【解決手段】Ｖリブドベルト１は、心線２を螺旋状に埋設した接着ゴム部３の上下両面に、複数の上側および下側リブゴム部４，５が設けられる。リブゴム部４，５は、ベルト長手方向に延びる上下リブ４ａ，５ａを有し、その上下リブ４ａ，５ａのリブ先端面４ｂ，５ｂに、レーザ光によるマーク６が刻印されている。【選択図】  図１
2006316945.tif 000002
【特許請求の範囲】
【請求項１】
心線を螺旋状に埋設した接着ゴム部の下面にリブゴム部が設けられ、そのリブゴム部にベルト長手方向に延びる複数のリブが形成されているＶリブドベルトであって、
前記リブゴム部のリブ先端面に、レーザ光によるマークが刻印されていることを特徴とするＶリブドベルト。
【請求項２】
心線を螺旋状に埋設した接着ゴム部の上下両面に上側および下側リブゴム部がそれぞれ設けられ、その各リブゴム部にベルト長手方向に延びる複数の上下リブがそれぞれ形成されているＶリブドベルトであって、
前記上側および下側リブゴム部の両方のリブ先端面あるいはいずれか一方のリブゴム部のリブ先端面に、レーザ光によるマークが刻印されていることを特徴とするＶリブドベルト。
【請求項３】
レーザ光を少なくとも１つのスキャンミラーによって反射角度を調節しながら照射して、Ｖリブドベルトにマークを刻印するＶリブドベルトのマーク刻印方法において、
前記Ｖリブドベルトは、心線を螺旋状に埋設した接着ゴム部の下面にリブゴム部が設けられ、そのリブゴム部にベルト長手方向に延びる複数のリブが形成されているものであり、
前記リブゴム部のリブ先端面にマークを刻印することを特徴とするＶリブドベルトのマーク刻印方法。
【請求項４】
レーザ光を少なくとも１つのスキャンミラーによって反射角度を調節しながら照射してマークを刻印するＶリブドベルトのマーク刻印方法において、
前記Ｖリブドベルトは、心線を埋設した接着ゴム部の上下両面に側および下側リブゴム部がそれぞれ設けられ、その各リブゴム部にベルト長手方向に延びる複数の上下リブがそれぞれ形成されているものであり、
前記上側および下側リブゴム部の両方のリブ先端面あるいはいずれか一方のリブゴム部のリブ先端面にマークを刻印することを特徴とするＶリブドベルトのマーク刻印方法。
【請求項５】
前記マークの刻印は、前記Ｖリブドベルトを一対の支持部材に巻き掛け、張った状態で行うことを特徴とする請求項３または４記載のＶリブドベルトのマーク刻印方法。
【発明の詳細な説明】
【技術分野】
【０００１】
本発明は、Ｖリブドベルトおよびそれのマーク刻印方法に関するものである。
【背景技術】
【０００２】
一般に、伝動ベルトにおいて、製造者名、商品名、製造年月、製造ロットＮｏ．を含むマークを設けることが行われている。そのマークを設ける方法としては、従来はマーク材を用いるのが通常であったが、インクジェットプリンタを用いてベルト背面に直接にインクを噴射することでマークを印刷する方法が知られている（例えば特許文献１参照）。
【０００３】
しかし、ベルト背面にマークを転写したり、転写マーク材とベルトを一体とする方法では、マークが付いたベルト背面をプーリに当接させて駆動面として使用する場合には、マークがプーリによって擦られて消えやすくなり、せっかくのマークも、ベルト走行後間もなく判読不能になるといった問題があった。また、インクジェットプリンタを用いて直接ベルト背面にマークを印刷する方法でも、プーリがベルト背面を均一に摩耗させるために、マークが消えてしまう問題があった。
【０００４】
そこで、鮮明なマークを長期にわたり残存させることができるように、レーザ光を少なくとも１つのスキャンミラーによって反射角度を調節しながらベルト最側面の一方もしくは両方に照射して深さ０．１〜１ｍｍのマークを刻印することが、伝動ベルトのマーク刻印方法として提案されている（例えば特許文献２参照）。
【０００５】
この方法によれば、レーザ光で照射して得られたマークを直接プーリに当接する領域から外し、またその深さを０．１〜１ｍｍにしているために、心線に致命的な損傷を与えず刻印することができてレーザ光の照射後のベルト機械的特性を低下させることはなく、ベルトを走行させても鮮明なマークを長期にわたり残存させることができる。
【特許文献１】特開平７−２３８９９２号公報（段落００１５〜００２３および図１〜図３）
【特許文献２】特開２００１−２０５４６３号公報（段落００１６〜００２２および図１，図２）
【発明の開示】
【発明が解決しようとする課題】
【０００６】
上記特許文献２に記載の技術は、ベルト最外側面にレーザ光によりマークを刻印する方法であるが、刻印部がゴム層や心線層となるため、色が異なり、刻印したマークが読み取りにくい。
【０００７】
また、刻印部がベルト側面であるため、走行による劣化によりマーク（文字）を読み取ることができなくなる。
【０００８】
本発明は、刻印したマークが読み取りやすく、走行による劣化を回避できるＶリブドベルトおよびそれのマーク刻印方法を提供する。
【課題を解決するための手段】
【０００９】
請求項１の発明は、心線を螺旋状に埋設した接着ゴム部の下面にリブゴム部が設けられ、そのリブゴム部にベルト長手方向に延びる複数のリブが形成されているＶリブドベルトであって、前記リブゴム部のリブ先端面に、レーザ光によるマークが刻印されていることを特徴とする。ここで、レーザ光によるマークは、すべてのリブゴム部のリブ先端面に刻印するようにしてもよいし、一部のリブゴム部のリブ先端面に刻印するようにしてもよい。
【００１０】
請求項２の発明は、心線を螺旋状に埋設した接着ゴム部の上下両面に上側および下側リブゴム部がそれぞれ設けられ、その各リブゴム部にベルト長手方向に延びる複数の上下リブがそれぞれ形成されているＶリブドベルトであって、前記上側および下側リブゴム部の両方のリブ先端面あるいはいずれか一方のリブゴム部のリブ先端面に、レーザ光によるマークが刻印されていることを特徴とする。
【００１１】
このようにすれば、Ｖリブドベルト（あるいはダブルＶリブドベルト）において、製造者名、商品名、製造年月、製造ロットＮｏ．などを含むマークの刻印箇所をリブゴム部のリブ先端面とするので、刻印したマークが読み取り易い。また、リブ先端面はプーリと接触しないため、長時間の走行後でも、走行による劣化がなく、マークが読み取り易いため、長期に亘って、製造ロットなどの追跡が可能となる。
【００１２】
請求項３の発明は、レーザ光を少なくとも１つのスキャンミラーによって反射角度を調節しながら照射して、Ｖリブドベルトにマークを刻印するＶリブドベルトのマーク刻印方法において、前記Ｖリブドベルトは、心線を螺旋状に埋設した接着ゴム部の下面にリブゴム部が設けられ、そのリブゴム部にベルト長手方向に延びる複数のリブが形成されているものであり、前記リブゴム部のリブ先端面にマークを刻印することを特徴とする。
【００１３】
請求項４の発明は、レーザ光を少なくとも１つのスキャンミラーによって反射角度を調節しながら照射してマークを刻印するＶリブドベルトのマーク刻印方法において、前記Ｖリブドベルトは、心線を埋設した接着ゴム部の上下両面に側および下側リブゴム部がそれぞれ設けられ、その各リブゴム部にベルト長手方向に延びる複数の上下リブがそれぞれ形成されているものであり、前記上側および下側リブゴム部の両方のリブ先端面あるいはいずれか一方のリブゴム部のリブ先端面にマークを刻印することを特徴とする。
【００１４】
このようにすれば、刻印したマークが読み取り易く、長期に亘って製造ロットなどの追跡が可能となる前述したマークを、リブゴム部のリブ先端面に簡単に刻印することができる。
【００１５】
これらの場合は、請求項５に記載のように、前記マークの刻印、前記Ｖリブドベルトを２つの支持部材に巻き掛け、（Ｖリブドベルトを）張った状態で行うことが望ましい。ここで、２つの支持部材は同じものである必要はなく、大きさあるいは形状が異なるものでもよく、また、支持部材としては、支持ローラや支持アームなどを用いることができる。また、支持部材を静止させてマークを刻印する場合だけでなく、支持部材を駆動して、Ｖリブドベルトを回転させつつマークを刻印することも可能である。
【００１６】
このようにすれば、Ｖリブドベルトを一対の支持部材に巻き掛け、Ｖリブドベルトを張った状態でマークを刻印するので、Ｖリブドベルトを安定して支持した状態でリブゴム部のリブ先端面にマークを刻印することができる。
【発明の効果】
【００１７】
請求項１，２の発明は、以上のように、Ｖリブドベルト（あるいはダブルＶリブドベルト）において、製造者名、商品名、製造年月、製造ロットＮｏ．などを含むマークの刻印箇所をリブゴム部のリブ先端面とするので、刻印したマークが読み取り易い。また、リブ先端面はプーリと接触しないため、長時間の走行後でも、走行による劣化がなく、マークが読み取り易い。そのため、使用開始から、長期に亘って、製造ロットなどの追跡が可能となる。
【００１８】
請求項３，４の発明は、そのようなＶリブドベルトを簡単に製造することができる。
【発明を実施するための最良の形態】
【００１９】
以下、本発明の実施の形態を図面に沿って説明する。
【００２０】
図１は本発明方法によってマークが刻印されたダブルＶリブドベルトの斜視図である。
【００２１】
図１に示すように、ダブルＶリブドベルト１は、高強度で低伸度のコードよりなる心線２を接着ゴム部３中に埋設し、その上側に上側リブゴム部４を、下側に下側リブゴム部５をそれぞれ備える。この上側リブゴム部４と下側リブゴム部５にはベルト長手方向に延びる複数の上下リブ４ａ，５ａが設けられている。上側および下側リブゴム部４，５は、圧縮ゴム部として機能するリブゴム部４，５の耐側圧性を向上させるために、ベースゴム材料に、ナイロン６、ナイロン６６、ポリエステル、綿、アラミドなどの短繊維を混合してなる短繊維混合ゴムにて形成される。
【００２２】
上側および下側リブゴム部４，５に設けた上下リブ４ａ，５ａのピッチは等間隔で、上下リブ４ａ，５ａの位置も合致している。なお、上下リブ４ａ，５ａのピッチは等間隔でなくてもよく、また上下リブ４ａ，５ａの位置は一致していなくてもよい。
【００２３】
上側および下側リブゴム部４，５において、上下リブ５，６の、平坦面であるリブ先端面４ｂ，５ｂには、製造者名、商品名、製造年月、製造ロットＮｏ．などに代表されるマーク６が刻印されている。刻印されたマーク６は、後述するようにレーザ光を照射して得られたものであり、その深さは０．１〜１ｍｍとされる。ここで、深さを０．１〜１ｍｍの範囲とするのは、０．１ｍｍ未満では経年変化により比較的早期に消失するそれがある一方、１ｍｍを超えると、ゴミ等がマーク６の窪みに溜まりやすく、走行中に溜まったゴミが放出されて他の部品を汚染するおそれがあるからである。マーク６を形成するラインの幅も０．１〜１ｍｍ程度である。なお、マーク６は、リブゴム部４，５のすべてのリブ先端面４ｂ，５ｂに刻印するようにしてもよいし、一部のリブ先端面４ｂ，５ｂのみに刻印するようにしてもよい。
【００２４】
よって、Ｖリブドベルト１は、リブ先端面４ｂ，５ｂにマーク６を設けているので、ベルト最外側面（リブ側面）に設ける特許文献２に記載の技術のように、レーザ光で、スパイラル状に切断された心線２を傷めるおそれは全くなく、ベルト性能に影響を与えることがない。
【００２５】
このようなＶリブドベルト１は、リブゴム部４，５のリブ先端面４ｂ，５ｂへの刻印であるために、マーク６（製造者名、商品名、製造年月、製造ロットＮｏ．などのマーク）を判別しやすく、読み取りやすい。特に、プーリに巻き付けられた状態でも、リブ先端面はプーリ面に接触していないので、マーク６を読み取りやすい。しかも、走行によりＶリブドベルト１が劣化しても、リブ先端面４ｂ，５ｂはプーリと接触しないため走行による劣化がなく、長期に亘ってマーク６を読み取りできるという利点がある。よって、プーリ形状の異常、ダストの噛み込み等の異常環境によるダメージをＶリブドベルト１（リブゴム部４，５）が受けない限り、リブ先端面４ｂ，５ｂ上のマーク６を読み取ることができる。
【００２６】
上記のレーザ光を照射してマーク６を刻印する方法は、図２に示すように、まず、レーザ発振部（図示せず）から発振したＣＯ2レーザ光等の刻印用レーザ光１１が、図示しない光学系にてリブ先端面４ｂ，５ｂでレーザスポットが最小になるように調整される。
【００２７】
それから、スキャンミラー１２，１３によってレーザ光１１の反射角度を調節しながら、ダブルＶリブドベルト１のリブ先端面４ｂ，５ｂに向けてレーザ光を照射して所定範囲内でマーク６を刻印する。このレーザ光１１は、リブ先端面４ｂ，５ｂのごく一部のリブゴムや、そのリブゴムに含まれる短繊維を瞬時に溶かして気化させて、刻印する。
【００２８】
ダブルＶリブドベルト１は、例えば図３に示すように、一対の支持部材である支持ローラ２１，２２に巻き掛け、（例えば支持ローラ２２１，２２の間隔を調整するなどして）張った状態でマークの刻印を行う。マーク６を刻印する位置は、（支持ローラ２１，２２を回転させるなどして）支持ローラ２１，２２による支持状態を変えることで調節する。
【００２９】
具体的には、例えば、ダブルＶリブドベルト１を、まず、一方のリブゴム部４の上リブ４ａが上向きになるように支持ローラ２１，２２にて支持する。そして、支持ローラ２１，２２を回転しつつリブ先端面４ｂの所定の位置にマーク６を刻印した後、Ｖリブドベルト１を反転させて、他方のリブゴム部５の下リブ５ａが上向きになるように支持し、リブ先端面４ｂとは反対側のリブ先端面５ｂに、同様にマーク６を刻印する。このようにして、両リブ先端面４ｂ，５ｂにマーク６がそれぞれ刻印される。
【００３０】
このレーザ光１１は、予めマーク６についてのデータが入力された制御部による制御によって、スキャンミラー１２，１３に向けて放射されると共に、レーザ光１１のＯＮ、ＯＦＦが制御されることで、各リブ先端面４ｂ，５ｂ上に所望のマークを刻印することができる。
【００３１】
前記実施の形態は、心線を螺旋状に埋設した接着ゴム部の上下両面に、ベルト長手方向に延びる複数の上側および下側リブゴム部を有する（ダブル）Ｖリブドベルトに適用したものであるが、本発明は、心線を螺旋状に埋設した接着ゴム部の下面に、ベルト長手方向に延びる複数のリブゴム部を有するＶリブドベルトにも、そのリブゴム部のリブ先端面にマークを刻印することで同様に適用することができる。
【図面の簡単な説明】
【００３２】
【図１】本発明方法によってマークが刻印されたダブルＶリブドベルトの斜視図である。
【図２】ダブルＶリブドベルトにマークを刻印する方法の説明図である。
【図３】ダブルＶリブドベルトにマークを刻印する方法の説明図である。
【符号の説明】
【００３３】
１    ダブルＶリブドベルト
２    心線
３    接着ゴム部
４    上側リブゴム部
４ａ    上側リブ
４ｂ    リブ先端面
５    下側リブゴム層
５ａ    下側リブ
５ｂ    リブ先端面
６    マーク
１１    レーザー光
１２，１３    スキャンミラー
２１，２２    支持ローラ
【図１】
2006316945.tif 000003
【図２】
2006316945.tif 000004
【図３】
2006316945.tif 000005